(57)【要約】【課題】作業現場において簡単にドライバビットの脱却と装着が行えるネジ締め機用のビット着脱治具を提供する。【解決手段】回転駆動軸１７に形成された装着部２５に着脱可能に装着されるドライバビット２０を備えたネジ締め機１０用のビット着脱治具１であって、大径の円柱状に形成された大径鍔部２と該大径鍔部２の一端側から軸方向に向けて突出させて一体に形成された前記大径鍔部２より小径に形成された細径柱体部３によって構成され、前記大径鍔部２の他端側にドライバビット２０の先端部を固定できるようにした固定手段４、５を形成するとともに、前記細径柱体部３の端面にドライバビット２０の先端を嵌合させるためのリセス６を形成した。【選択図】図１
2005088155.tif 000002
【特許請求の範囲】
【請求項１】
大径の円柱状に形成された大径鍔部と該大径鍔部の一端側から軸方向に向けて突出させて一体に形成された前記大径鍔部より小径に形成された細径柱体部によって構成され、前記大径鍔部の他端側にドライバビットの先端部を固定できるようにした固定手段を形成するとともに、前記細径柱体部の端面にドライバビットの先端を嵌合させるためのリセスを形成したことを特徴とするネジ締め機用のビット着脱治具。
【請求項２】
前記細径柱体部の外周面にドライバビットが正規の装着位置に装着されることによってネジ締め機のマークと一致するように設定した目印を形成したことを特徴とする請求項１に記載のネジ締め機用のビット着脱治具。
【発明の詳細な説明】
【技術分野】
【０００１】
本発明は、エアモータ等によって回転駆動されるドライバビットをネジと係合させてネジを回転させると同時に、該ドライバビットが装着されたピストンをシリンダ内に収容して圧縮空気によりピストンをネジ締め方向へ推進移動させることによりネジをネジ込むようにしたネジ締め機に関し、特に破損したり摩耗したドライバビットの交換を容易に行うことのできるネジ締め機用のビット着脱治具に関する。
【背景技術】
【０００２】
圧縮空気を動力源として回転駆動されるエアモータを介してインパクト機構を駆動して回転駆動軸を回転駆動させ、この回転駆動軸に装着したドライバビットをネジと係合させてネジをネジ込み方向に回転させるとともに、前記回転駆動軸に一体に形成されているピストンをシリンダ内に摺動自在に収容して、シリンダ内に導入した圧縮空気を前記ピストンに作用させて回転駆動軸をシリンダ内で摺動作動させることにより、回転駆動軸に装着されているドライバビットをネジ込み方向に駆動させるように構成した圧縮空気駆動のネジ締め機が知られている。上記従来のネジ締め機では、エアモータや回転駆動軸及びシリンダ等を収容しているハウジングの下方にドライバビットを回転及び摺動方向に案内するノーズ部が形成されており、このノーズ部に供給されたネジを回転と推進方向に駆動される前記ドライバビットによってノーズ部の先端方向へねじこむようにしている。
【０００３】
このようなネジ締め機におけるドライバビットは使用中の摩耗や破損等が多発するため消耗品として考慮されており、このため破損又は摩耗したドライバビットをネジ締め機から脱却して新品のドライバビットをネジ締め機へ装着するドライバビットの交換作業が頻繁に行われる。上記従来のネジ締め機では、エアモータによって回転駆動される回転駆動軸の端部に形成された六角穴状の装着部に六角柱状に形成されたドライバビットの後端部を挿入して、六角穴内に向けて進出できるように前記装着部に配置されたスチールボールをドライバビットの六角柱状部の外周面に形成された環状溝と係合させることによってドライバビットが回転駆動軸の装着部に装着されている。
【０００４】
上記従来のネジ締め機において、破損又は消耗したドライバビットをネジ締め機から脱却するには、まず取り付け用のボルト等を除去してノーズ部をハウジングから取り外し、これによってドライバビットの先端部を露出させてこのドライバビットの先端部をプライヤ等で把持して装着部から引き抜くようにしている。更に、新しいドライバビットを装着するには、ドライバビットの基部の六角軸部を回転駆動軸の装着部に差し込み、ドライバビットと適合したネジを用意して該ネジのリセスをドライバビットの先端に嵌合させた状態で、このネジの先端側をハンマー等で打撃してこれによってドライバビットを装着部へ装着するようにしている。
【特許文献１】実開平５−１６１４８号公報
【発明の開示】
【発明が解決しようとする課題】
【０００５】
上記従来技術では、回転駆動軸に形成されている装着部に配置されているスチールボールを内側へ向けて付勢させているビットリングの装着荷重が大きい場合にはドライバビットの先端部をプライヤで把持してもドライバビットに軸方向への大きな引き抜き力を与えることができないためドライバビットを装着部から抜くことができないことがある。また、回転駆動軸の装着部がハウジングの内部にあるためドライバビットの六角軸部が装着部の六角穴に合ったか否かが解ず、ハンマーで叩いてもドライバビットの六角軸部が装着部の六角穴内に装着できない場合がある。また六角軸部と六角穴とが合っていない状態で必要以上に叩くと機械を損傷してしまうことがある。更に、ドライバビットが装着部の正規の装着位置へ装着されたか否かが判断できず、不完全な装着状態で工具を作動させてしまいエアー漏れや作動不良が発生してしまうことがある。
【０００６】
本発明は、上記従来技術での問題点を解決して、作業現場において簡単にネジ締め機からの損傷したドライバビットの脱却とネジ締め機への新しいドライバビットの装着が行えるネジ締め機用のビット着脱治具を提供することを課題とする。
【課題を解決するための手段】
【０００７】
上記課題を解決するため本発明のネジ締め機用のビット着脱治具は、大径の円柱状に形成された大径鍔部と該大径鍔部の一端側から軸方向に向けて突出させて一体に形成された前記大径鍔部より小径に形成された細径柱体部によって構成され、前記大径鍔部の他端側にドライバビットの先端部を固定できるようにした固定手段を形成するとともに、前記細径柱体部の端面にドライバビットの先端を嵌合させるためのリセスを形成したことを特徴とする。
【０００８】
また、請求項２の発明は、前記細径柱体部の外周面にドライバビットが正規の装着位置に装着されることによってネジ締め機のマークと一致するように設定した目印を形成したことを特徴とする。
【発明の効果】
【０００９】
本発明によれば、大径の円柱状に形成された大径鍔部と該大径鍔部の一端側から軸方向に向けて突出させて一体に形成された前記大径鍔部より小径に形成された細径柱体部によって構成され、前記大径鍔部の他端側にドライバビットの先端部を固定できるようにした固定手段を形成するとともに、前記細径柱体部の端面にドライバビットの先端を嵌合させるためのリセスを形成したビット着脱治具を使用することにより、プライヤ等を使用しても抜くことができなかったドライバビットを現場で容易に抜くことが可能であり、販売店等に修理を依頼する等の手間が省けて作業効率が向上する。また、ドライバビットの装着時にネジ先を保持したり又は尖ったネジの先をハンマーで叩く等の危険を伴った作業を行う必要が無くなり、ドライバビットの脱却と装着の操作を安全に行うことが可能となる。
【００１０】
更に、請求項２の発明によれば、前記細径柱体部の外周面にドライバビットが正規の装着位置に装着されることによってネジ締め機のマークと一致するように設定した目印を形成しているので、ハンマーでの叩き過ぎによる機械の破損が防止できるとともに、ドライバビットが不完全な装着状態のまま工具を作動させることによるエアー漏れや作動不良の発生を防止することができる。
【発明を実施するための最良の形態】
【００１１】
作業現場において簡単にドライバビットの脱却と装着を行えるようにするという目的を、大径の円柱状に形成された大径鍔部と該大径鍔部の一端側から軸方向に向けて突出させて一体に形成された前記大径鍔部より小径に形成された細径柱体部によって構成され、前記大径鍔部の他端側にドライバビットの先端部を固定できるようにした固定手段を形成するとともに、前記細径柱体部の端面にドライバビットの先端を嵌合させるためのリセスを形成したビット着脱治具によって達成した。
【実施例１】
【００１２】
図１及び図２は本発明の実施例にかかるビット着脱治具を示すもので、図１（ａ）及び図１（ｂ）はビット着脱治具１をそれぞれ異なる方向から示している斜視図であり、図２は同じビット着脱治具１を中心線上で切断して示しているものである。それぞれの図に示すように、ビット着脱治具１は大径の円柱状に形成された大径鍔部２と、該大径鍔部２の一端面側から軸方向に向けて突出させて一体に形成された細径柱体部３によって構成されている。図１（ａ）及び図２に示すように、前記大径鍔部２の細径柱体部３が形成されていない側の端面には、ドライバビットの先端部を挿入できるように大径鍔部２の端面の中心部に形成された固定用穴４と大径鍔部２の外周面から前記固定用穴４内に向けてねじこまれている固定ネジ５により構成された固定手段が形成されており、ドライバビットの先端部を前記固定用穴４内に挿入して固定ネジ５を締め付けることによってドライバビットをビット着脱治具１に固定できるようにしている。
【００１３】
また、図１（ｂ）及び図２に示すように前記細径柱体部３の端面には、ネジ締め機へ装着するドライバビットの先端を嵌合させるためのリセス６が形成されている。ドライバビットの先端にはネジの頭部に形成されているリセスと嵌合してネジに回転力を伝達させるための先端形状が形成されており、前記細径柱体部３の端面に形成されたリセス６によって新しいドライバビットを装着する際にドライバビットの先端形状を損傷させないようにこの先端形状を収容するようにしている。上記リセス６は、装着部へ装着されるドライバビットに適合したリセスが形成されているネジ８を前記細径柱体部３の端面に形成された雌ねじ部７へ螺着させて、該ネジ８の頭部を細径柱体部３の端面へ露出させることによって形成されている。このようにドライバビットに適合したネジ８を使用することにより任意のサイズのドライバビットの装着が行える。また、ビット着脱治具１の細径柱体部３の外周面には、ドライバビットが正規の装着位置に装着された時にネジ締め機１０に形成されているマークと一致するように設定された目印線９が形成されている。
【００１４】
図３は圧縮空気によって駆動されるネジ締め機１０を示すもので、該ネジ締め機１０はグリップ部１２が後方側へ向けて一体に形成されたハウジング１１内に圧縮空気によって回転駆動されるエアモータ１３が収容されており、このエアモータ１３の下方に前記エアモータ１３によって回転されるハンマー１４と該ハンマー１４によって打撃されて回転されるアンビル１５とから構成されているインパクト機構１６が収容されている。該インパクト機構１６のアンビル１５と回転連結されている回転駆動軸１７が前記インパクト機構１６とエアモータ１３の中心部に形成された中空内に収容されて軸方向に摺動可能に配置されている。
【００１５】
前記回転駆動軸１７の下端部にはピストン１８が形成されており、このピストン１８が前記ハウジング１１内の前記インパクト機構１６の下方部に形成されているシリンダ１９内に摺動可能に収容されており、このシリンダ１９内のピストン１８の上面側に圧縮空気が供給されることによってピストン１８がシリンダ１９内を下死点方向に作動されることによって回転駆動軸を軸方向に推進させるようにしている。前記回転駆動軸１７の下端部にはドライバビット２０が装着されており、回転駆動軸１７がインパクト機構によって回転されることによってドライバビット２０が回転されてネジを回転させ、ピストン１８によって回転駆動軸１７が下死点方向に作動されることによってドライバビット２０がネジをねじ込み方向へ推進させるようにしている。
【００１６】
前記ハウジング１１の下方には前記ドライバビット２０を摺動案内するとともにネジを加工材に向けて案内するノーズ部２１が取り付けられており、このノーズ部２１の後方側に連設されている供給機構２２を介してこのノーズ部２１内へネジを順次供給させるようにし、ドライバビット２０をインパクト機構１６によって回転させるとともにピストン１８によってノーズ部２１の先端方向へ移動させることによって、前記ノーズ部に供給されたネジに前記ドライバビット２０を係合させて、ネジを回転させると同時にノーズ部２１の先端方向へ推進させ、ノーズ部２１に形成されている一対のチャック機構２３によりネジを挟持させて被打込材へねじ込むようにしている。このノーズ部２１はドライバビット２０を着脱操作する際にドライバビット２０の先端部分を露出させるためにネジ締め機１０本体を形成しているハウジング１１部から取り外しができるようにされている。
【００１７】
図４に示すように、下端部の外周面がピストン１８として形成されている回転駆動軸１７は、ピストン１８を収容しているシリンダ１９に沿って摺動可能に配置されており、この回転駆動軸１７の下端部にはドライバビット２０の後端に形成された六角軸部２４を収容するための装着部２５が形成されている。装着部２５は断面が六角形に形成されるとともに下端方向に向けて開口された凹穴２６により構成されており、この凹穴２６内にドライバビット２０の基部側の六角軸部２４が収容されて回転駆動軸１７の回転をドライバビット２０へ伝達させるようにしている。
【００１８】
また、前記装着部２５には、凹穴２６の内方へ向けて進出するように装着部２５の外周面に配置されているビットリング２７によって弾力的に付勢されたスチールボール２８が円周方向に間隔を隔てて複数配置されており、このスチールボール２８がドライバビット２０の六角軸部２４の外周面に形成されている環状溝２９と係合することによってドライバビット２０が回転駆動軸１７の装着部２５に対して保持されるようにされている。ドライバビット２０を装着又は脱却する際には、ドライバビット２０を回転駆動軸１７に対して軸方向へ押圧又は引っ張りさせることにより、前記ビットリング２７の弾力に抗してスチールボール２８を半径方向外側へ移動させて行うようにされている。
【００１９】
以下、前記実施例のビット着脱治具１を使用してドライバビット２０をネジ締め機１０に対して着脱する操作の状態を図５及び図６により説明する。ネジ締め機１０からドライバビット２０を脱却する場合には、図５に示すように、ネジ締め機１０からノーズ部２１を取り外してドライバビット２０の先端部がハウジング１１から露出できる状態にさせる。この状態でドライバビット２０を引っ張ることによってピストン１８が形成されている回転駆動軸１７をシリンダ１９に沿って下死点位置まで移動させて、この回転駆動軸１７の装着部２５に装着されているドライバビット２０の先端部をハウジング１１から大きく露出させることが可能である。図に示すようにドライバビット２０の先端部をビット着脱治具１の大径鍔部２の端面に形成されている固定用穴４内へ挿入して固定ネジ５を締め付けることによってドライバビット２０をビット着脱治具１に固定する。この状態でビット着脱治具１をドライバビット２０の軸方向へ引っ張り操作するか又は図に示すように大径鍔部２をハンマー等の工具Ｔによって叩いて衝撃を与えることによってドライバビット２０を前記装着部２５から容易に脱却させることができる。
【００２０】
新しいドライバビット２０を装着する際には、装着されるドライバビット２０のサイズに適合したリセスが形成されているネジ８をビット着脱治具１の細径柱体部３の端面へ螺着して準備し、新しいドライバビット２０の後端の六角軸部２４を回転駆動軸１７の装着部２５の凹穴２６内へ押し当てて、ドライバビット２０の先端を前記ネジ８のリセス６に嵌合させて図６に示すようにドライバビット２０を介して回転駆動軸１７をシリンダ１９内の上死点位置まで作動させる。なお、この上死点位置では回転駆動軸１７の上端面がハウジング１１の上壁と係合されるので、ドライバビットへ衝撃を与えてもシリンダ等の部品へは衝撃は伝搬されない。この状態でビット着脱治具１を回転することによってドライバビット２０を回転させてドライバビット２０と回転駆動軸１７凹穴２６の六角部とを整合させた後、ビット着脱治具１の大径鍔部２側の端面側からハンマーで叩いてドライバビット２０を回転駆動軸１７の装着部２５へ装着させる。
【００２１】
上死点位置に配置された回転駆動軸１７の装着部２５にドライバビット２０が正しく装着された位置で、該ドライバビット２０に嵌合されているビット着脱治具１の細径柱体部３の側面に形成した目印線９がネジ締め機１０に形成されているマーク３０と一致するように設定されているので、目印線９とマーク３０とを目視しながらビット着脱治具１を叩くことによってドライバビット２０が正規の装着位置まで挿入されたことが確認でき、必要以上の衝撃をドライバビット２０や回転駆動軸１７へ与えてしまうことが避けられる。
【００２２】
図７及び図８は上記実施例によるビット着脱治具１を異なった形状のドライバビット３１の着脱作業に使用した使用例を示すもので、図７に示すものは、ドライバビット３１の先端部外周面に環状溝３２が形成されたドライバビット３１での使用例を示すもので、大径鍔部の外周面から螺合された固定ネジ５の先端を、ドライバビット３１の環状溝３２と係合させることによってドライバビット３１の固定がより確実に行われる。また、図８に示すように、ドライバビット３３の先端部の外径がドライバビット３３の軸部の径よりも大きく形成されたドライバビット３３での使用例を示すものであり、固定ネジ５の先端をドライバビット３３の先端部に形成された顎部３４に係合させることによってドライバビット３３のビット着脱治具１への固定がより確実にできるようにしたものである。
【実施例２】
【００２３】
更に図９は別の実施例にかかるビット着脱治具４０を示すもので、この実施例にかかるビット着脱治具４０ではドライバビット４１を固定するための固定手段に固定ネジを使用せず、ドライバビット４１の先端部を収容する大径鍔部２の端面に形成されている固定用穴４２と直交する方向にピン穴４３を形成して、このピン穴４３内に貫通させたピン４４を前記固定用穴４２内に挿入されたドライバビット４１に形成されている貫通穴４５に貫挿させることによってドライバビット４１をビット着脱治具４０に固定するようにさせたものである。
【図面の簡単な説明】
【００２４】
【図１】本発明の実施例にかかるビット着脱治具の（ａ）拡径鍔部側の端面を示す斜視図と、（ｂ）細径柱体部側の端面を示す斜視図
【図２】図１と同じビット着脱治具の縦断側面図
【図３】圧縮空気により駆動されるネジ締め機を示す縦断側面図
【図４】図３のネジ締め機のドライバビットの装着部を示す詳細縦断側面図
【図５】ネジ締め機からドライバビットを脱却している状態を示す縦断側面図
【図６】ネジ締め機へドライバビットを装着している状態を示す縦断側面図
【図７】他の形状のドライバビットを固定した状態のビット着脱治具の断面図
【図８】更に別の形状のドライバビットを固定した状態のビット着脱治具の断面図
【図９】他の実施例にかかるビット着脱治具を示す断面図縦断側面図
【符号の説明】
【００２５】
１  ビット着脱治具
２  大径鍔部
３  細径柱体部
４  固定用穴
５  固定ネジ
６  リセス
８  ネジ
９  目印線
１０  ネジ締め機
１７  回転駆動軸
２５  装着部
２０、３１、３３  ドライバビット
【図１】
2005088155.tif 000003
【図２】
2005088155.tif 000004
【図３】
2005088155.tif 000005
【図４】
2005088155.tif 000006
【図５】
2005088155.tif 000007
【図６】
2005088155.tif 000008
【図７】
2005088155.tif 000009
【図８】
2005088155.tif 000010
【図９】
2005088155.tif 000011